(57)【要約】  本発明は、特に自動車の計器パネル用のマルチメディアスクリーン支持体であって、キャリッジ（３）がケーシング（２）内部の格納位置とケーシング（２）外部の展開位置との間をスライドするケーシング（２）を備えることを特徴とし、キャリッジは、スタンド（５）を支持しており、スタンド（５）は、スタンド（５）の基部において、キャリッジ（３）及びスタンド（５）をケーシング（２）内に格納することができるようにスタンド（５）がキャリッジ（３）に倒伏している位置と、マルチメディアスクリーンがスタンド（５）の底部レッジ（９）上に支持された状態を保持するための起き上がり位置との間に関節接合され、底部レッジ（９）はまた、キャリッジ（３）上に関節接合されるスタンド（５）の基部に対して、スタンド（５）下方の空間を解放する上方位置と、特にマルチメディアスクリーンがスタンド（５）の上端上方に突出する程度を制限するために、マルチメディアスクリーンの位置を下げるための下方位置との間で移動可能であることを特徴とする、マルチメディアスクリーン支持体に関する。【選択図】図５
2016500353.tif 000002
【特許請求の範囲】
【請求項１】
特に自動車の計器パネル用のマルチメディアスクリーン支持体であって、キャリッジ（３）がケーシング（２）内部の格納位置と前記ケーシング（２）外部の展開位置との間をスライドするケーシング（２）を備えることを特徴とし、前記キャリッジは、スタンド（５）を支持しており、前記スタンド（５）は、前記スタンド（５）の基部において、前記キャリッジ（３）及び前記スタンド（５）を前記ケーシング内に格納することができるように前記スタンド（５）が前記キャリッジ（３）に倒伏している位置と、マルチメディアスクリーンが前記スタンド（５）の底部レッジ（９）上に支持された状態を保持するための起き上がり位置との間に関節接合され、前記底部レッジ（９）はまた、前記キャリッジ（３）上に関節接合される前記スタンド（５）の基部に対して、前記スタンド（５）下方の空間を解放する上方位置と、特にマルチメディアスクリーンが前記スタンド（５）の上端上方に突出する程度を制限するために、前記マルチメディアスクリーンの位置を下げるための下方位置との間で移動可能であることを特徴とする、マルチメディアスクリーン支持体。
【請求項２】
前記ケーシング（２）は、標準「１ＤＩＮ」型の穴を有することを特徴とする、請求項１に記載のマルチメディアスクリーン支持体。
【請求項３】
前記スタンド（５）は、起き上がり保持位置（図２及び図３）と、前記キャリッジ（３）及び前記倒伏位置にある前記スタンド（５）が格納される収納位置との間を移動することができる支柱（７）により前記キャリッジ（３）に結合される後面を有することを特徴とする、請求項１又は２に記載のマルチメディアスクリーン支持体。
【請求項４】
前記底部レッジ（９）は、前記スタンド（５）の上部（８）に形成された開口部（１１）内にスライドする実質的に鉛直なガイド（１０）により、前記スタンド（５）の前記上部（８）に結合される実質的に水平なプレートを有し、前記底部レッジ（９）をその上方位置に維持するために、又は前記底部レッジ（９）を前記上方位置から解放するために、係合解除可能なロックシステム（１２−１４）が提供されることを特徴とする、請求項１から３の何れか一項に記載のマルチメディアスクリーン支持体。
【請求項５】
前記マルチメディアスクリーン支持体は、前記スタンド（５）の前面から突出する２つのフィンの一般的形状の側面ブロック（１５）を備え、これらのブロック（１５）は、前記ブロック（１５）を前記スタンド（５）から距離を置いた分離構成と前記スタンド（５）の外側縁に隣接する近接構成との間で移動可能にする駆動手段（１６、１７）により、前記スタンド（５）の上部（８）に結合され、前記駆動手段（１６、１７）はまた、１つのブロック（１５）の他のブロックに対する一体化した移動を提供するように設計されることを特徴とする、請求項１から４の何れか一項に記載のマルチメディアスクリーン支持体。
【請求項６】
前記駆動手段（１６、１７）は、前記スタンド（５）により担持される、回転軸（Ｘ１）に固定され装着されるダブルピニオン（１６）を有するシステムを備え、各ピニオン（１６）は、前記ブロック（１５）の一方又は他方に剛的に結合された対応するラック（１７）と相互に作用し、前記ピニオン（１６）の歯の数は、前記ブロック（１５）の各々が移動する距離の割合（Ｒ）が１以外であるように、前記ラック（１７）の一方と他方とでは異なることを特徴とする、請求項５に記載のマルチメディアスクリーン支持体。
【請求項７】
前記割合Ｒは、１．２から２までの範囲にあり、具体的にはＲは１．５に等しく、前記割合は、前記ブロック（１５）が移動する最も長い距離の最も短い距離に対する割合であると考えられることを特徴とする、請求項６に記載のマルチメディアスクリーン支持体。
【請求項８】
前記マルチメディアスクリーン支持体は、前記底部レッジ（９）を前記プレートに実質的に垂直に上に向かって延長する固体壁（１８）を備え、この固体壁（１８）は、前記底部レッジ（９）が前記上方位置にある場合には前記スタンド（５）の本体に挿入されているが、前記底部レッジ（９）が前記下方位置にある場合には露出されることを特徴とする、請求項４から７の何れか一項に記載のマルチメディアスクリーン支持体。
【請求項９】
先述の特徴のうちの任意の１つを有するマルチメディアスクリーン支持体（１）を備えることを特徴とする、自動車の計器パネル。
【発明の詳細な説明】
【技術分野】
【０００１】
本発明は、特に自動車計器パネル用のマルチメディアスクリーン支持体に関する。
【０００２】
「マルチメディアスクリーン支持体」という用語は、任意の種類のマルチメディア機器を受けることができる支持体であって、通常、その機器の１つの表面に、例えば、限定されないが、タッチスクリーンタイプのスクリーンを有する支持体を意味する。この機器の寸法は、例えば、７〜１３インチ型のタブレットコンピュータ、若しくは、通常、３〜７インチの範囲の型のスクリーンを有する電話又はパーソナルデジタルアシスタントの寸法である。「マルチメディアスクリーン」という用語は、一般用語であり、非限定的に解釈されるべきであり、このスクリーンを受けることができる支持体は、例えば、ノートブック型パソコンやロードマップなど、類似の型の他の物品を等しく受けることができるだろうと理解される。
【背景技術】
【０００３】
ファミリー車両又は多用途車両の計器パネルは、マルチメディアスクリーン、ノートブック型パソコン、又は類似の形状及び寸法を有する他の種類の物品を保持するための付属品に装着されることもある。
【０００４】
計器パネルのハウジングから展開することができ、計器パネルのハウジングに格納することができるこの種の支持体が知られている。支持されるべき物体が１０インチのスクリーンに対応する寸法、例えば、約２５ｃｍの斜め計測に相当する寸法を有する場合、スクリーン支持体それ自体は、類似の寸法を有し、したがって、支持体が格納できるように、かなりの全体的な寸法を有するハウジングが、計器パネルに提供される必要がある。これは、少なくともハウジングの穴を、支持体が通り抜けられなくてはならないからである。支持体の深さはまた、格納された又は引き出された位置で支持体を受けるために大きくなければならない。車両の計器パネルはまた、与えられた空間に容易に収容できるとは限らない機器の他の多くの要素に装着されなければならない。計器パネルはまた、可視性及び利用しやすさについて数多くの制約を受ける。
【０００５】
したがって、目的は、マルチメディアスクリーン支持体の全体的な寸法を縮小することである。これは、計器パネル本体の空間を節約する目的の格納位置について、及び計器パネル（様々な制御装置又は機器が配置される場合）前の又は運転手の視覚内のエリアの遮蔽を最小化する目的の、マルチメディアスクリーンの展開位置についての両方に当てはまる。また、大型スクリーン（例えば、７インチを上回る）がフロントガラスにより囲まれた視界の一部を隠す場合に、計器パネルの上方部分に置かれる支持体が運転手の視界減を悪化させることが認められている。したがって、運転手の視界まで極端に突き出るスクリーンは、安全性に影響を及ぼしかねない。
【０００６】
さらに、マルチメディアスクリーン支持体には、小型スクリーン（例えば、約３〜７インチ）から大型スクリーン（例えば、約７〜１３インチ）までに設置され得るマルチメディアスクリーンのサイズの範囲を考慮しない非常に限定的な調整が提供される。これらの既知の支持体では、スクリーンのサイズにより、運転手の視界を優先させること、又は計測パネル上に配置される周囲の制御装置又は付属品へのアクセスを優先させることは不可能である。
【発明の概要】
【発明が解決しようとする課題】
【０００７】
本発明の目的は、特に計器パネルに対して格納及び引き出される位置であって、スクリーン全体の寸法及び様々な制御装置の可視条件又はアクセス条件に従って、マルチメディアスクリーンをユーザが選択する位置に位置決めする容易な調整を可能にする位置において、全体的なサイズが特にコンパクトであるこの種の支持体に装着される計器パネルだけではなく、特に自動車の計器パネルのためのマルチメディアスクリーン支持体を提案することにより、先述の欠点のすべて又は一部を克服することである。
【課題を解決するための手段】
【０００８】
この目的のため、本発明は、特に自動車の計器パネル用のマルチメディアスクリーン支持体であって、キャリッジがケーシング内部の格納位置とケーシング外部の展開位置との間をスライドするケーシングを備えることを特徴とし、キャリッジは、スタンドを支持しており、スタンドは、スタンドの基部において、キャリッジ及びスタンドをケーシング内に格納することができるようにスタンドがキャリッジに倒伏している位置と、マルチメディアスクリーンがスタンドの底部レッジ上に支持された状態を保持するための起き上がり位置との間で関節接合され（ａｒｔｉｃｕｌｅ）、底部レッジはまた、キャリッジ上で関節接合されるスタンドの基部に対して、スタンド下方の空間を解放する上方位置と、特にマルチメディアスクリーンがスタンドの上端上方に突出する程度を制限するために、マルチメディアスクリーンの位置を下げるための下方位置との間で移動可能であることを特徴とする、マルチメディアスクリーン支持体に関する。
【０００９】
マルチメディアスクリーンの複数の既存の型を考慮した複数の調整の可能性を提供するだけではなく、支持体は、主に支持体を受けるために適合されるケーシングに提供される、標準「１ＤＩＮ」型の空間に完全に格納することができる。
【００１０】
本発明による支持体はまた、計器パネル上の隣接する機器の可視性又はアクセスのどちらかを優先させるために、若しくはこれらの制約の均衡を実現するために、ユーザが選択するように、このように保持される支持体の位置及びスクリーンの位置を調整する可能性を提供する。
【００１１】
本発明の他の有利な特徴によれば、
ケーシングは、標準「１ＤＩＮ」型の穴を有し、
スタンドは、起き上がり保持位置と、キャリッジ及び倒伏位置にあるスタンドが格納される収納位置との間を移動することができる支柱によりキャリッジに結合される後面を有し、
底部レッジは、スタンドの上部に形成された開口部内にスライドする実質的に鉛直なガイドにより、スタンドの上部に結合される実質的に水平なプレートを有し、底部レッジをその上方位置に維持するために、又は底部レッジを上方位置から解放するために、係合解除可能なロックシステムが提供され、
支持体は、スタンドの前面から突出する２つのフィンの一般的形状の側面ブロックを有し、これらのブロックは、ブロックをスタンドから距離を置いた分離構成と、スタンドの外側縁に隣接する近接構成との間で移動可能にする駆動手段により、スタンドの上部に結合され、駆動手段はまた、１つのブロックの他のブロックに対する一体化した移動を提供するように設計され、
駆動手段は、スタンドにより担持される、回転軸に固定され装着されるダブルピニオンを有するシステムを備え、各ピニオンは、ブロックの一方又は他方に剛的に結合された対応するラックと相互に作用し、ピニオンの歯の数は、ブロックの各々が移動する距離の割合（Ｒ）が１以外であるように、ラックの一方と他方とでは異なり、
割合Ｒは、１．２から２までの範囲にあり、具体的にはＲは１．５に等しく、割合は、ブロックが移動する最も長い距離の最も短い距離に対する割合であると考えられ、
支持体は、底部レッジをプレートに実質的に垂直に上に向かって延長する固体壁を備え、この固体壁は、底部レッジが上方位置にある場合にはスタンドの本体に挿入されているが、底部レッジが下方位置にある場合には露出される。
【００１２】
本発明はまた、先述の特徴のすべて又はいくつかを有するマルチメディアスクリーン支持体を備えることを特徴とする自動車の計器パネルに関する。
【００１３】
本発明は、添付図面を参照しつつ、本発明の非限定的な例の下記の説明を用いて、さらに容易に理解されるだろう。
【図面の簡単な説明】
【００１４】
【図１】キャリッジ及びスタンドがケーシング内部の格納位置に収納された状態である、本発明によるマルチメディアスクリーン支持体を示す。
【図２】キャリッジがケーシング外部の展開位置にある一方で、スタンドは起き上がり位置にある状態の、本発明によるマルチメディアスクリーン支持体を示す。
【図３】スタンドを起き上がり位置で保持する支柱のエリアを示す、スタンド後部の拡大図を示す。
【図４】キャリッジがケーシングに部分的に挿入される一方で、スタンドは起き上がり位置にあり、ケーシングに当接し、その結果、底部レッジが上方位置にある状態で、スクリーンを標準使用する状況における、図２のマルチメディアスクリーン支持体を示す。
【図５】スタンドの底部レッジが下方位置にある場合の、図５に類似の図である。
【図６】分離した位置にある側面ブロックを示す、本発明の支持体の背面図である。
【図７】底部レッジのガイド機構並びに側面ブロックを案内及び駆動するためのシステムをより正確に示す、後方パネルを含まない、本発明によるスタンド後部の図である。
【発明を実施するための形態】
【００１５】
本明細書は、特に自動車計器パネルへの装着を対象とした、マルチメディアスクリーン支持体について説明する。本文脈において、及び特記されない限り、「前」及び「後ろ」の概念は、車両前方の乗客を基準に使用される。「前」部分が、これらの乗客、即ち、車両の後方を向くのに対し、「後ろ」部分は、反対方向に、車両の前方を向く。車両に対する従来のＸＹＺ基準座標系もまた以下で使用されるが、Ｘは、車両の後ろに向かって走る車両の縦方向を示し、Ｙは、右方向に配向される車両の横方向を示し、Ｚは、上に向かって配向される鉛直方向を示している。
【００１６】
図１は、本発明による、特に自動車の計器パネル用のマルチメディアスクリーン支持体１を示す。計器パネル及びマルチメディアスクリーンは、示されていない。「マルチメディアスクリーン」という用語は、一般的なものであり、タブレットコンピュータ、タッチスクリーン電話、又は他のものであるかどうかに関わらず、少なくとも３インチから１３インチまでの範囲の型を有するあらゆる種類のマルチメディアデバイスを対象にすると理解されるだろう。本発明によるこの支持体はまた、他の種類の物体、例えば、ノートブックなどを保持することもできる。図１では、支持体は、収納位置にある、即ち、ケーシング２に完全に格納されている。この格納構成の本発明の支持体全体が、標準「１ＤＩＮ」型の空間内に含まれる。
【００１７】
ケーシング２は、平行６面体の一般的形状を有する。その前端部の寸法全体は、「１ＤＩＮ」型のフレーム内に完全に含まれる。同様に、この格納構成において、支持体全体は、「１ＤＩＮ」型の従来機器（カーラジオなど）の縦の寸法に実質的に対応する方向Ｘの縦の寸法を有する。したがって、ケーシング２は、車両の計器パネルの前に提供される対応する形状及び寸法を有するハウジングで受けることができる。
【００１８】
図２及び図３を参照すると、支持体１は、ケーシング２内部の格納位置（図１）とケーシング２外部の展開位置（図２及び図３）との間で、縦方向Ｘにスライド可能に装着されるキャリッジ３を備える。
【００１９】
例示された例において、キャリッジ３は、ケーシングの下方部分で、ケーシング２を縦方向に通る２つの平行なレール４上にスライド可能に装着される。
【００２０】
この例では、レール４は、標準「１ＤＩＮ」空間内に含まれる間に、展開位置にあるキャリッジ３が最大限延びることができるように、ケーシング２の後ろに突出する。変形実施形態では、レール４を、ケーシングの一部により覆うことができる。図６に示されるように、この場合、レール４は、キャリッジのより好ましい位置決めを提供し、Ｙにおける横の動きを行うために、傾けられる。
【００２１】
キャリッジ３は、その基部において、横方向Ｙに実質的に平行な軸Ｙ１周囲で関節接合されるスタンド５を支持する。スタンドは、マルチメディアスクリーンに対する後部支持体として機能するプレートの形態をとる。キャリッジ３は、以下で説明されるように、その下部において、マルチメディアスクリーンが置かれる底部レッジにより、引き出される。スタンド５は、キャリッジ３及びスタンド５がケーシングに格納できるように、スタンド５がキャリッジ３に倒伏される位置と、マルチメディアスクリーンがスタンド５の底部レッジ６に当接する状態を保持するための起き上がり位置との間で、ピボット６周囲を移動することができる。倒伏位置は、実質的に水平で、即ち、平面ＸＹに平行であるのに対し、スタンドの起き上がり位置は、後に向かって実質的に鉛直である、又はわずかに傾いている。非限定的例として、約１０度から２０度の傾斜角が好適である。
【００２２】
スタンド５は、スタンド５の後部に位置する支柱７により、鉛直な位置に保持される。スタンド５は、起き上がり保持位置（図２及び図３）と、キャリッジ３及び倒伏位置にあるスタンド５が格納される収納位置との間を移動することができる支柱７によりキャリッジ３に結合される後面を有する。
【００２３】
支柱７は、スタンド５の後面で軸Ｙ２周囲に関節接合される第１の端部を有する。支柱７はまた、キャリッジ３上を縦方向Ｘにスライドする足部を形成する第２の端部を有する。レール３に沿った第２の端部のスライドは、Ｙ２におけるピボット周囲での支柱７の回転と一体化して、スタンド５がその倒伏位置と起き上がり位置との間で移動できるようにする。スタンド５を起き上がり位置に固定するためのシステムもまた、提供される。このシステムは、キャリッジ３上に関節接合されレバーとして作用する結合バー７０（図３）から成る。この結合バー７０は、横方向Ｙに平行な軸周囲に関節接合される。支柱７がその起き上がり位置に到達するとすぐに、結合バー７０の端部のうちの１つは、支柱７の第２の端部で形成される対応する凹部と相互に作用する。結合バー７０は、結合バー７０とキャリッジ３との間に挿入される戻り手段（図示されず）の作用により支柱７をロックするこの位置に自動的に置かれる。
【００２４】
スタンド５は、キャリッジ３の端部における基部で直接関節接合される上部８をさらに備える。スタンドはまた、特にスタンド５の上縁上方の突出の程度を制限するために、スタンド５の下のスペースを解放する、図４に示される上方位置と、マルチメディアスクリーンの位置を下げる、図５に示される下方位置との間で、上部に対して、更にはスタンド５の基部に対して移動可能である底部レッジ９を備える。
【００２５】
底部レッジ９は、上部８に形成される凹部で実質的に鉛直方向にスライドする実質的に鉛直なガイド１０により、スタンドの上部に結合される実質的に水平なプレートを有する。２つの平行な縦のガイド１０は、横方向Ｙに間隔を空けて配置される。２つのガイド１０は、スタンド５の上部８に形成される壁又はフランジに形成される開口部１１に挿入される。上下の開口部は、底部レッジが、上下どちらの位置にあるかに関わらず、適切に保持及び案内されることを確実にするために提供される。止め具は、所定の下方位置で底部レッジ９のスライドを制止するために提供される。この底部レッジ９を上方位置で保持するロックシステムが底部レッジ９を解放するために係合解除されるとすぐに、重力により、底部レッジ９が下に向かって移動する。
【００２６】
ロックシステムは、底部レッジ９に位置し、手で上に向かって押すことができるように配置される押しボタン１２から成る。この押しボタン１２は、スタンド５の上部８に装着されるスライディング片１３と相互に作用し（その下方エリアにおいて）、このスライディング片は、スライディング片１３の片側に置かれ、横方向Ｙに配置されるバー１４により、ガイド１０に結合される。スライディング片１３と反対のバー１４の端部は、ガイド１０に形成される対応する穴を貫通し、底部レッジ９が上方位置にある場合、ガイド１０をスタンド５の上部８に対してロックするためのボルト及び保持システム（ｐｅｎｅ−ｇａｃｈｅ）として作用するように適合される。バー１４の端部は、傾斜形状を有し、これにより、底部レッジ９を上に向かって押す動作で、対応する穴から自動で引き出すことができることに留意されたい。
【００２７】
支持体はまた、スタンド５の前面から縦方向Ｘに突出する２つのフィンの一般的形状の側面ブロック１５を備える。これらのブロック１５は、図６及び図７に示されるような、スタンド５から距離を置いた分離構成と、図２及び図５に示される、スタンド５の外側縁に隣接する近接構成との間で、ブロックを移動するための駆動手段により、スタンド５の上部８に結合される。これらの駆動手段はまた、１つのブロック１５の他方のブロックに対する一体化した移動を提供するように設計される。これらの移動は、もう一方の電話支持体などの付属品を、本発明のマルチメディアスクリーン支持体１に隣接して置くことができるように、非対称である。したがって、この他の支持体が本発明による支持体１の一方、例えば左側に位置する場合、保持するブロック１５が、この側面での小さな移動及び他の側面での大きな移動により分離されることが有利である。したがって、マルチメディアスクリーンを受けるエリアは、全体の寸法に対する制約がほとんどない場合には、反対側、例えば右側に向かって全体的にずらされる。
【００２８】
この非対称の移動は、スタンド５の上部８により担持される回転シャフト上に装着され、かつ回転シャフトに対して固定されるダブルピニオン１６のシステムにより生じる（図６及び図７）。回転は、縦方向Ｘに実質的に平行な軸Ｘ１周囲で起こる。これら２つのピニオンは、回転可能に一体化され、異なる歯車比に対応する２段歯車を形成する。各ピニオンは、ブロックの一方又は他方に剛的に結合された対応するラック１７と相互に作用する。ラック１７は、実質的に横方向Ｙに延びるアーム１８に形成される（図６及び図７）。２つの側面ブロック１５により移動される距離の割合は、通常、１．２から２までの範囲、例えば、１．５である（これは、例えば左側ブロックによる短い移動距離に対する、例えば右側ブロック１５による長い移動距離の割合である）。
【００２９】
本発明による支持体１は、スクリーンの当接面を形成するプレートに実質的に垂直に底部レッジ９を上に向かって延長する固体壁１８をさらに備える（図３及び図７）。この固体壁１８は、底部レッジ９が上方位置にある場合には、スタンド５の上部８の本体に挿入されるのに対し、底部レッジ９が下方位置にある場合には、露出される。
【００３０】
支持体１は、次のように使用される：収納された構成（図１）から開始し、ユーザは、底部レッジ９の下側により形成される、支持体の前面に位置決めされた取っ手要素を手動で把持する。ユーザは、この要素を引き寄せ、キャリッジ３を展開位置に移動させる。ユーザは、スタンド５をその倒伏位置から起き上がり位置まで持ち上げる。支柱７と結合バー７０との間に配置される摩擦システムにより、ロックが行われる。ユーザは、支柱７の上部がケーシング２の上縁に当接して相互に作用するまで、キャリッジ１を押し返す。次に、ユーザは、例えば、底部レッジ９を下げることにより及び／又は側面ブロック１５を分離することにより、所望の調整を行う。これらの移動は、互いに独立している。
【００３１】
支持体１のケーシング２への収納は、先述のものと逆の一連の動作により実行される。キャリッジ３、スタンド５（底部レッジ９及びその側面ブロック１５を含む）から構成されるアセンブリは、ケーシング２に格納される。把持用のトリム要素が、底部レッジ９の下面に取り付け及び固定され得る。
【００３２】
明らかに、本発明は、先述の実施形態に限定されず、これらの手段に相当するすべての技術を含む。
【図１】
2016500353.tif 000003
【図２】
2016500353.tif 000004
【図３】
2016500353.tif 000005
【図４】
2016500353.tif 000006
【図５】
2016500353.tif 000007
【図６】
2016500353.tif 000008
【図７】
2016500353.tif 000009
【国際調査報告】
2016500353.tif 000010
2016500353.tif 000011
2016500353.tif 000012
2016500353.tif 000013